(57)【要約】【課題】外部音源から供給される音響信号に不調が生じた場合に使用者の違和感を抑制しつつ発音を継続することが可能な電子楽器および電子楽器システムを提供する。【解決手段】内部音源用ミキサ音量設定部９１は、内部音源１６に割り当てられたチャンネルについて音量設定指示信号により示される音量に相当する利得をミキサ１７ａの該当するチャンネルに設定する。外部音源用ミキサ音量設定部９２は、外部音源２０に割り当てられたチャンネルについて音量設定指示信号により示される音量に相当する利得をミキサ１７ａの該当するチャンネルに設定する。ミキサ音量補正部９５は、音源切替部８２の非接続状態から接続状態への切り替わりに応答して、内部音響信号に基づいて発生される楽音の音量が外部音響信号に基づいて発生される楽音の音量と等しくなるようにミキサ１７ａに設定される利得を対応テーブルを用いて補正する。【選択図】図２
2018109689.tif 000002
【特許請求の範囲】
【請求項１】
内部音響信号を生成する内部音源と、
発音指示信号を発生する発生手段と、
外部音響信号を生成する外部音源に接続され、前記発音指示信号を前記外部音源に出力する出力手段と、
前記発音指示信号に応答して前記外部音源により外部音響信号が生成される第１の状態を前記発音指示信号に応答して前記内部音源により内部音響信号が生成される第２の状態へ切り替える切り替え手段と、
内部音響信号の音量に関するパラメータの値を第１のパラメータの値として設定する第１の設定手段と、
外部音響信号の音量に関するパラメータの値を第２のパラメータの値として設定する第２の設定手段と、
前記第２の設定手段により設定される第２のパラメータの値を取得する第１の取得手段と、
前記第１の状態が前記第２の状態に切り替えられた場合に、内部音響信号に基づく発音の音量に関する状態が外部音響信号に基づく発音の音量に関する状態に近づくように、取得された第２のパラメータの値に基づいて設定された第１のパラメータの値を補正する補正手段とを備える、電子楽器。
【請求項２】
内部音響信号に基づく発音と外部音響信号に基づく発音とで音量に関する状態が等しくなる場合の第１のパラメータの値と第２のパラメータの値との対応関係を取得する第２の取得手段をさらに備え、
前記補正手段は、前記第１の状態が前記第２の状態に切り替えられた場合に、取得された対応関係および取得された第２のパラメータの値に基づいて設定された第１のパラメータの値を補正する、請求項１記載の電子楽器。
【請求項３】
前記対応関係は、音色ごとに定められ、
前記補正手段は、前記第１の状態が前記第２の状態に切り替えられた場合に、取得された対応関係のうち外部音響信号の音色に対応する対応関係および取得された第２のパラメータの値に基づいて設定された第１のパラメータの値を調整する、請求項２記載の電子楽器。
【請求項４】
前記第１のパラメータは、内部音響信号の音量または定位を示し、
前記第２のパラメータは、外部音響信号の音量または定位を示す、請求項１〜３のいずれか一項に記載の電子楽器。
【請求項５】
前記電子楽器は、複数のチャンネルを有し、
前記第１の設定手段は、前記複数のチャンネルの各々について第１のパラメータの値を設定し、
前記第２の設定手段は、前記複数のチャンネルの各々について第２のパラメータの値を設定し、
前記補正手段は、一または複数のチャンネルについて前記第１の状態が前記第２の状態に切り替えられた場合に、取得された対応関係およびチャンネルごとに取得された第２のパラメータの値に基づいて、対応するチャンネルに設定された第１のパラメータの値を補正する、請求項１〜４のいずれか一項に記載の電子楽器。
【請求項６】
一のチャンネルに対応する内部音響信号と他のチャンネルに対応する外部音響信号とを混合するミキサをさらに備え、
前記第１の状態において前記他のチャンネルに対応する発音指示信号に応答して前記外部音源により前記他のチャンネルに対応する外部音響信号が生成され、前記第２の状態において前記他のチャンネルに対応する発音指示信号に応答して前記内部音源により前記他のチャンネルに対応する内部音響信号が生成され、
前記第１の設定手段は、前記他のチャンネルに対応する内部音響信号の第１のパラメータの値を設定し、
前記第２の設定手段は、前記他のチャンネルに対応する外部音響信号の第２のパラメータの値を設定し、
前記第１の取得手段は、前記第２の設定手段により設定される前記他のチャンネルに対応する第２のパラメータの値を取得し、
前記補正手段は、前記他のチャンネルについて前記第１の状態が前記第２の状態に切り替えられた場合に、前記他のチャンネルについて取得される第２のパラメータの値に基づいて前記他のチャンネルについて設定された第１のパラメータの値を補正する、請求項５記載の電子楽器。
【請求項７】
複数のチャンネルに対応する内部音響信号を混合する第１のミキサをさらに備え、
前記電子楽器は、複数のチャンネルに対応する外部音響信号を混合する第２のミキサに接続可能であり、
前記第１の状態において少なくとも一のチャンネルに対応する発音指示信号に応答して前記外部音源により前記少なくとも一のチャンネルに対応する外部音響信号が生成され、前記第２の状態において前記少なくとも一のチャンネルに対応する発音指示信号に応答して前記内部音源により前記少なくとも一のチャンネルに対応する内部音響信号が生成され、
前記第１の設定手段は、前記少なくとも一のチャンネルに対応する内部音響信号の第１のパラメータの値を設定し、
前記第２の設定手段は、前記少なくとも一のチャンネルに対応する外部音響信号の第２のパラメータの値を設定し、
前記第１の取得手段は、前記第２の設定手段により設定される前記少なくとも一のチャンネルに対応する第２のパラメータの値を取得し、
前記補正手段は、前記少なくとも一のチャンネルについて前記第１の状態が前記第２の状態に切り替えられた場合に、前記少なくとも一のチャンネルについて取得される第２のパラメータの値に基づいて前記少なくとも一のチャンネルについて設定された第１のパラメータの値を補正する、請求項５記載の電子楽器。
【請求項８】
発音指示信号に含まれる第３のパラメータの値に基づいて定められる複数の領域を設定する第３の設定手段をさらに備え、
設定された複数の領域の少なくとも１つの領域に前記外部音源が割り当てられ、
前記第１の設定手段は、前記少なくとも１つの領域に内部音響信号の第１のパラメータの値を設定し、
前記第２の設定手段は、前記少なくとも１つの領域に外部音響信号の第２のパラメータの値を設定し、
前記第１の取得手段は、前記少なくとも１つの領域に設定された第２のパラメータの値を取得し、
前記補正手段は、前記少なくとも１つの領域について前記第１の状態が前記第２の状態に切り替えられた場合に、前記少なくとも１つの領域について取得される第２のパラメータの値に基づいて前記少なくとも１つの領域について設定された第１のパラメータの値を補正する、請求項１〜７のいずれか一項に記載の電子楽器。
【請求項９】
前記外部音源により生成される外部音響信号を帰還音響信号として受ける入力手段と、
前記入力手段への帰還音響信号の入力の状態を検出する検出手段とをさらに備え、
前記切り替え手段は、前記入力手段への帰還音響信号の入力が正常な状態から前記入力手段への帰還音響信号の入力が正常でない状態への移行に応答して、前記第１の状態を前記第２の状態に切り替える、請求項１〜８のいずれか一項に記載の電子楽器。
【請求項１０】
前記切り替え手段は、前記入力手段への帰還音響信号の入力が正常でない状態から前記入力手段への帰還音響信号の入力が正常な状態への移行に応答して、前記第２の状態を前記第１の状態に切り替える、請求項９記載の電子楽器。
【請求項１１】
請求項１〜１０のいずれか一項に記載の電子楽器と、
前記電子楽器に接続される１または複数の外部音源と、
前記電子楽器の前記内部音源により生成される内部音響信号および前記１または複数の外部音源により生成される外部音響信号に基づいて音を発生する音発生手段とを備える、電子楽器システム。
【発明の詳細な説明】
【技術分野】
【０００１】
本発明は、外部音源に接続可能な電子楽器およびそれらを備えた電子楽器システムに関する。
【背景技術】
【０００２】
外部音源に接続可能な種々の電子楽器がある。例えば、特許文献１に記載された演奏補助システムにおいては、電子楽器が演奏補助装置を介して和音情報発生装置に接続される。電子楽器、和音情報発生装置および演奏補助装置は、それぞれ音源・効果回路を含む。和音情報発生装置と演奏補助装置とが無線通信で接続されると、自演奏補助機能が有効になるとともに、ローカルオフコマンドが電子楽器に自動的に送信される。この場合、電子楽器の演奏操作子からの演奏情報は電子楽器の音源・効果回路（楽音生成部）に直接供給されない。
【０００３】
演奏補助装置は、設定された変換特性に基づいて、電子楽器から受信したノート情報の音高を和音情報発生装置から受信した和音情報に適合する音高に変換し、変換されたノート情報を電子楽器に送信する。一方、和音情報発生装置と演奏補助装置との無線通信の切断時または演奏補助機能のオフ時には、ローカルオンコマンドが電子楽器に自動的に送信される。電子楽器の演奏操作子からの演奏情報が電子楽器の音源・効果回路（楽音生成部）に供給される。
【先行技術文献】
【特許文献】
【０００４】
【特許文献１】特開２０１０−２３１０５３号公報
【発明の概要】
【発明が解決しようとする課題】
【０００５】
特許文献１に記載された演奏補助システムにおいて、和音情報発生装置または演奏補助装置の音源・効果回路を電子楽器の外部音源として用いることも可能である。例えば、電子楽器の演奏操作子の操作による演奏情報を外部音源に供給し、外部音源により得られる音響信号に基づく楽音を電子楽器から発生することが可能である。
【０００６】
しかしながら、電子楽器と外部音源とが切断された場合または外部音源に不具合が生じた場合には、外部音源から電子楽器に音響信号が正常に供給されなくなる。そのような場合に、使用者の違和感を抑制しつつ発音を継続することが望まれる。
【０００７】
本発明の目的は、外部音源から供給される音響信号に不調が生じた場合に使用者の違和感を抑制しつつ発音を継続することが可能な電子楽器および電子楽器システムを提供することである。
【課題を解決するための手段】
【０００８】
本発明に係る電子楽器は、内部音響信号を生成する内部音源と、発音指示信号を発生する発生手段と、外部音響信号を生成する外部音源に接続され、発音指示信号を外部音源に出力する出力手段と、発音指示信号に応答して外部音源により外部音響信号が生成される第１の状態を発音指示信号に応答して内部音源により内部音響信号が生成される第２の状態へ切り替える切り替え手段と、内部音響信号の音量に関するパラメータの値を第１のパラメータの値として設定する第１の設定手段と、外部音響信号の音量に関するパラメータの値を第２のパラメータの値として設定する第２の設定手段と、第２の設定手段により設定される第２のパラメータの値を取得する第１の取得手段と、第１の状態が第２の状態に切り替えられた場合に、内部音響信号に基づく発音の音量に関する状態が外部音響信号に基づく発音の音量に関する状態に近づくように、取得された第２のパラメータの値に基づいて設定された第１のパラメータの値を補正する補正手段とを備える。
【０００９】
その電子楽器においては、発音指示信号に応答して外部音源により外部音響信号が生成される第１の状態で外部音源から供給される外部音響信号に不調が生じた場合には、第１の状態から第２の状態に切り替えられる。第２の状態では、発音指示信号に応答して内部音源により内部音響信号が生成される。このとき、外部音響信号の音量に関する第２のパラメータの値に基づいて内部音響信号の音量に関する第１のパラメータの値が補正される。それにより、内部音響信号に基づく発音の音量に関する状態が外部音響信号に基づく発音の音量に関する状態に近づく。したがって、外部音響信号に不調が生じた場合でも、使用者の違和感を抑制しつつ発音を継続することができる。
【００１０】
電子楽器は、内部音響信号に基づく発音と外部音響信号に基づく発音とで音量に関する状態が等しくなる場合の第１のパラメータの値と第２のパラメータの値との対応関係を取得する第２の取得手段をさらに備え、補正手段は、第１の状態が第２の状態に切り替えられた場合に、取得された対応関係および取得された第２のパラメータの値に基づいて設定された第１のパラメータの値を補正してもよい。
【００１１】
この場合、第１の状態が第２の状態に切り替えられる際に、対応関係に基づいて第１のパラメータの値を容易に補正することができる。また、内部音響信号に基づく発音と外部音響信号に基づく発音とで音量に関する状態が等しくなるので、使用者の違和感をより抑制しつつ発音を継続することができる。
【００１２】
対応関係は、音色ごとに定められ、補正手段は、第１の状態が第２の状態に切り替えられた場合に、取得された対応関係のうち外部音響信号の音色に対応する対応関係および取得された第２のパラメータの値に基づいて設定された第１のパラメータの値を調整してもよい。これにより、音色ごとの対応関係に基づいて第１のパラメータの値を適切に補正することができる。
【００１３】
第１のパラメータは、内部音響信号の音量または定位を示し、第２のパラメータは、外部音響信号の音量または定位を示してもよい。これにより、発生音の音量または定位の連続性を確保することができる。
【００１４】
電子楽器は、複数のチャンネルを有し、第１の設定手段は、複数のチャンネルの各々について第１のパラメータの値を設定し、第２の設定手段は、複数のチャンネルの各々について第２のパラメータの値を設定し、補正手段は、一または複数のチャンネルについて第１の状態が第２の状態に切り替えられた場合に、取得された対応関係およびチャンネルごとに取得された第２のパラメータの値に基づいて、対応するチャンネルに設定された第１のパラメータの値を補正してもよい。この場合、チャンネルごとに使用者の違和感を抑制しつつ発音を継続することができる。
【００１５】
電子楽器は、一のチャンネルに対応する内部音響信号と他のチャンネルに対応する外部音響信号とを混合するミキサをさらに備え、第１の状態において他のチャンネルに対応する発音指示信号に応答して外部音源により他のチャンネルに対応する外部音響信号が生成され、第２の状態において他のチャンネルに対応する発音指示信号に応答して内部音源により他のチャンネルに対応する内部音響信号が生成され、第１の設定手段は、他のチャンネルに対応する内部音響信号の第１のパラメータの値を設定し、第２の設定手段は、他のチャンネルに対応する外部音響信号の第２のパラメータの値を設定し、第１の取得手段は、第２の設定手段により設定される他のチャンネルに対応する第２のパラメータの値を取得し、補正手段は、他のチャンネルについて第１の状態が第２の状態に切り替えられた場合に、他のチャンネルについて取得される第２のパラメータの値に基づいて他のチャンネルについて設定された第１のパラメータの値を補正してもよい。この場合、電子楽器の状態が第１の状態から第２の状態に切り替えられる際に、使用者の違和感を抑制しつつミキサによる発音を継続することができる。
【００１６】
電子楽器は、複数のチャンネルに対応する内部音響信号を混合する第１のミキサをさらに備え、電子楽器は、複数のチャンネルに対応する外部音響信号を混合する第２のミキサに接続可能であり、第１の状態において少なくとも一のチャンネルに対応する発音指示信号に応答して外部音源により少なくとも一のチャンネルに対応する外部音響信号が生成され、第２の状態において少なくとも一のチャンネルに対応する発音指示信号に応答して内部音源により少なくとも一のチャンネルに対応する内部音響信号が生成され、第１の設定手段は、少なくとも一のチャンネルに対応する内部音響信号の第１のパラメータの値を設定し、第２の設定手段は、少なくとも一のチャンネルに対応する外部音響信号の第２のパラメータの値を設定し、第１の取得手段は、第２の設定手段により設定される少なくとも一のチャンネルに対応する第２のパラメータの値を取得し、補正手段は、少なくとも一のチャンネルについて第１の状態が第２の状態に切り替えられた場合に、少なくとも一のチャンネルについて取得される第２のパラメータの値に基づいて少なくとも一のチャンネルについて設定された第１のパラメータの値を補正してもよい。この場合、電子楽器の状態が第１の状態から第２の状態に切り替えられる際に、使用者の違和感を抑制しつつ第１および第２のミキサによる発音を継続することができる。
【００１７】
電子楽器は、発音指示信号に含まれる第３のパラメータの値に基づいて定められる複数の領域を設定する第３の設定手段をさらに備え、設定された複数の領域の少なくとも１つの領域に外部音源が割り当てられ、第１の設定手段は、少なくとも１つの領域に内部音響信号の第１のパラメータの値を設定し、第２の設定手段は、少なくとも１つの領域に外部音響信号の第２のパラメータの値を設定し、第１の取得手段は、少なくとも１つの領域に設定された第２のパラメータの値を取得し、補正手段は、少なくとも１つの領域について第１の状態が第２の状態に切り替えられた場合に、少なくとも１つの領域について取得される第２のパラメータの値に基づいて少なくとも１つの領域について設定された第１のパラメータの値を補正してもよい。
【００１８】
この場合、少なくとも１つの領域に割り当てられた外部音源から発生される外部音響信号に不調が生じた場合でも、その少なくとも１つの領域について第１の状態が第２の状態に切り替えられる。また、少なくとも１つの領域について設定された第１のパラメータの値が補正される。それにより、内部音源から発生される内部音響信号に基づいて、使用者の違和感を抑制しつつ発音を継続することができる。
【００１９】
電子楽器は、外部音源により生成される外部音響信号を帰還音響信号として受ける入力手段と、入力手段への帰還音響信号の入力の状態を検出する検出手段とをさらに備え、切り替え手段は、入力手段への帰還音響信号の入力が正常な状態から入力手段への帰還音響信号の入力が正常でない状態への移行に応答して、第１の状態を第２の状態に切り替えてもよい。この構成によれば、外部音源から供給される外部音響信号に不調が生じた場合に、第１の状態を第２の状態に確実に切り替えることができる。
【００２０】
切り替え手段は、入力手段への帰還音響信号の入力が正常でない状態から入力手段への帰還音響信号の入力が正常な状態への移行に応答して、第２の状態を第１の状態に切り替えてもよい。この構成によれば、外部音源から供給される外部音響信号の不調が解消された場合に、第２の状態を第１の状態に確実に切り替えることができる。
【００２１】
本発明に係る電子楽器システムは、上記の電子楽器と、電子楽器に接続される１または複数の外部音源と、電子楽器の内部音源により生成される内部音響信号および１または複数の外部音源により生成される外部音響信号に基づいて音を発生する音発生手段とを備える。
【００２２】
その電子楽器システムにおいては、電子楽器からの発音指示信号に応答して外部音源により外部音響信号が生成される第１の状態で外部音源から供給される外部音響信号に不調が生じた場合には、第１の状態が第２の状態に切り替えられる。第２の状態では、発音指示信号に応答して電子楽器の内部音源により内部音響信号が生成される。このとき、外部音響信号の音量に関する第２のパラメータの値に基づいて内部音響信号の音量に関する第１のパラメータの値が補正される。それにより、内部音響信号に基づく発音の音量に関する状態が外部音響信号に基づく発音の音量に関する状態に近づく。したがって、外部音響信号に不調が生じた場合でも、使用者の違和感を抑制しつつ発音を継続することができる。
【発明の効果】
【００２３】
本発明によれば、外部音源から供給される音響信号に不調が生じた場合に使用者の違和感を抑制しつつ発音を継続することが可能となる。
【図面の簡単な説明】
【００２４】
【図１】第１の実施の形態に係る電子楽器システムの構成を示すブロック図である。
【図２】図１の音源制御部の機能的な構成を示すブロック図である。
【図３】図１の記憶装置に記憶される対応テーブルの一例を示す図である。
【図４】図３の対応テーブルに基づく利得の補正例を示す模式図である。
【図５】音源制御部により行われる音源制御処理を示すフローチャートである。
【図６】音源制御部により行われる音源制御処理を示すフローチャートである。
【図７】パラメータの領域設定の一例を説明するための図である。
【図８】パラメータの領域設定の他の例を説明するための図である。
【図９】第２の実施の形態に係る電子楽器システムの構成を示すブロック図である。
【図１０】図９の音源制御部において音源切替部が非接続状態から接続状態に切り替わる際のミキサの利得の補正例を示す模式図である。
【発明を実施するための形態】
【００２５】
以下、本発明の実施の形態に係る電子楽器および電子楽器システムについて図面を用いて詳細に説明する。
【００２６】
［１］第１の実施の形態
（１）電子楽器システムの構成
図１は、第１の実施の形態に係る電子楽器システムの構成を示すブロック図である。図１の電子楽器システム１００は、電子楽器１および１以上の外部音源２０により構成される。本実施の形態では、電子楽器１に複数の外部音源２０ａ，２０ｂが接続される。以下、複数の外部音源２０の各々を区別する場合には、各外部音源２０を外部音源２０ａまたは外部音源２０ｂと呼ぶ。
【００２７】
電子楽器１は、演奏操作子２、検出回路３、設定操作子４、検出回路５、ディスプレイ６および表示回路７を備える。演奏操作子２は、鍵盤またはドラムパッド等を含む。演奏操作子２は、検出回路３を介してバス１９に接続され、使用者の演奏動作に基づく演奏データが演奏操作子２により入力される。設定操作子４は、オンオフ操作されるスイッチ、回転操作されるロータリエンコーダ、またはスライド操作されるリニアエンコーダ等を含み、検出回路５を介してバス１９に接続される。この設定操作子４は、音色の切り替え、音量の調整、電源のオンオフおよび各種設定を行うために用いられる。
【００２８】
ディスプレイ６は、表示回路７を介してバス１９に接続される。ディスプレイ６には、楽曲名、チャンネル番号、音色名、音量、パラメータ値、楽譜、またはその他の各種情報が表示される。ディスプレイ６がタッチパネルディスプレイであってもよい。この場合、使用者は、ディスプレイ６を操作することにより各種操作を指示することができる。
【００２９】
電子楽器１は、ＲＡＭ（ランダムアクセスメモリ）９、ＲＯＭ（リードオンリメモリ）１０、ＣＰＵ（中央演算処理装置）１１、タイマ１２、記憶装置１３および通信Ｉ／Ｆ（インタフェース）１４をさらに備える。ＲＡＭ９、ＲＯＭ１０、ＣＰＵ１１、記憶装置１３および通信Ｉ／Ｆ１４はバス１９に接続され、タイマ１２はＣＰＵ１１に接続される。外部記憶装置１５等の外部機器が通信Ｉ／Ｆ１４を介してバス１９に接続されてもよい。ＲＡＭ９、ＲＯＭ１０およびＣＰＵ１１が音源制御部８を構成する。
【００３０】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、システムプログラムおよび音源制御プログラム等のコンピュータプログラムを記憶する。ＣＰＵ１１は、ＲＯＭ１０に記憶された音源制御プログラムをＲＡＭ９上で実行することにより後述する音源制御処理を行う。タイマ１２は、現在時刻等の時間情報をＣＰＵ１１に与える。
【００３１】
記憶装置１３は、ハードディスク、光学ディスク、磁気ディスクまたはメモリカード等の記憶媒体を含む。この記憶装置１３には、一または複数の楽曲データが記憶される。楽曲データは、楽曲を表す音響信号（オーディオ信号）である。ここで、音響信号は、音の変化を表す波形信号を所定のサンプリング周期でサンプリングすることにより得られる複数のサンプリング値からなる。演奏操作子２から入力される演奏データに基づいて楽曲データが生成され、記憶装置１３に記憶されてもよい。演奏データおよび楽曲データは、後述する発音指示信号を含む。上記の音源制御プログラムが記憶装置１３に記憶されてもよい。外部記憶装置１５は、記憶装置１３と同様に、ハードディスク、光学ディスク、磁気ディスクまたはメモリカード等の記憶媒体を含み、楽曲データ等の各種データまたは音源制御プログラムを記憶してもよい。
【００３２】
なお、本実施の形態における音源制御プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された音源制御プログラムがＲＯＭ１０または記憶装置１３にインストールされてもよい。
【００３３】
電子楽器１は、内部音源１６およびサウンドシステム１７をさらに備える。内部音源１６はバス１９に接続され、サウンドシステム１７は内部音源１６およびバス１９に接続される。内部音源１６は、演奏操作子２から入力される演奏データまたは記憶装置１３から与えられる楽曲データ等に基づいて音響信号を生成するとともにその音響信号に音響効果を付与する。
【００３４】
各外部音源２０は、通信Ｉ／Ｆ１４に接続され、演奏操作子２から入力される演奏データまたは記憶装置１３から与えられる楽曲データ等に基づいて音響信号を生成するとともにその音響信号に音響効果を付与する。また、各外部音源２０は、生成された音響信号を通信Ｉ／Ｆ１４に出力する。サウンドシステム１７は、ミキサ１７ａおよびスピーカ１７ｂを含み、さらに図示しないＤ／Ａ（デジタル／アナログ）変換回路および増幅器を含む。このサウンドシステム１７は、内部音源１６または外部音源２０から与えられる音響信号に基づく楽音を発生する。
【００３５】
本実施の形態では、通信Ｉ／Ｆ１４は、ＭＩＤＩ（Musical Instrument Digital Interface）入力端子、ＭＩＤＩ出力端子、オーディオ入力端子およびオーディオ出力端子等を含む。通信Ｉ／Ｆ１４と各外部音源２０とは、ＭＩＤＩケーブルおよびオーディオケーブルにより接続され、ＭＩＤＩ規格に基づく通信を行う。また、本実施の形態では、電子楽器１が複数のＭＩＤＩチャンネル（以下、単にチャンネルと呼ぶ。）を有する。本実施の形態では、複数の外部音源２０ａ，２０ｂにそれぞれ異なるチャンネルＣＨ１，ＣＨ３が割り当てられ、内部音源１６にチャンネルＣＨ２が割り当てられる。また、サウンドシステム１７のミキサ１７ａは、チャンネルｃｈ１，ｃｈ２，ｃｈ３を有する。ミキサ１７ａのチャンネルｃｈ１，ｃｈ２，ｃｈ３には、チャンネルＣＨ１，ＣＨ２，ＣＨ３の音響信号が入力される。ミキサ１７ａのチャンネルｃｈ１，ｃｈ２，ｃｈ３の利得は、それぞれ調整可能である。チャンネルｃｈ１，ｃｈ２，ｃｈ３の利得を調整することによりチャンネルｃｈ１，ｃｈ２，ｃｈ３に入力された音響信号の音量をそれぞれ調整することができる。ミキサ１７ａは、チャンネルｃｈ１，ｃｈ２，ｃｈ３に入力される音響信号を混合し、混合された音響信号をスピーカ１７ｂに出力する。それにより、外部音源２０ａ、内部音源１６および外部音源２０ｂにより生成される複数の音響信号に基づく楽音がスピーカ１７ｂにより発生される。
【００３６】
（２）音源制御部の動作
図１の電子楽器１の使用者は、設定操作子４を操作することにより、複数の音色から選択された所望の音色を内部音源１６および外部音源２０に設定することができる。内部音源１６は、発音指示信号が与えられると、設定された音色の音響信号を生成する。外部音源２０は、発音指示信号が与えられると、設定された音色の音響信号を生成する。これにより、使用者は、種々の音色の楽音をサウンドシステム１７から再生させつつ電子楽器１を演奏することができる。以下、内部音源１６により生成される音響信号を内部音響信号と呼び、外部音源２０により生成される音響信号を外部音響信号と呼ぶ。
【００３７】
外部音源２０に割り当てられたチャンネルについて、外部音源２０と通信Ｉ／Ｆ１４との間の接続不良、外部音源２０と通信Ｉ／Ｆ１４との間の通信の切断、外部音源２０の不具合等が生じた場合、外部音源２０から電子楽器１に外部音響信号が与えられない状態、外部音源２０から電子楽器１に与えられる外部音響信号が途切れる状態、または外部音源２０から電子楽器１に与えられる外部音響信号が不安定となる状態等の外部音響信号の不調が生じることがある。このような外部音響信号の不調時（外部音響信号の入力の状態が正常でない場合）には、所望の楽音をサウンドシステム１７から発生することができない。
【００３８】
そこで、音源制御部８は、外部音源２０に割り当てられたチャンネルについて、外部音響信号の不調時に、外部音響信号を内部音源１６の内部音響信号に切り替える。この場合、音源制御部８は、内部音響信号に基づいて発生される楽音の音量が外部音響信号に基づいて発生される楽音の音量に近づくようにミキサ１７ａの利得を設定する。本実施の形態では、内部音響信号に基づいて発生される楽音の音量が外部音響信号に基づいて発生される楽音の音量と等しくなるようにミキサ１７ａの利得が設定される。
【００３９】
また、本実施の形態では、外部音響信号の不調の前後で、内部音響信号に基づいて発生される楽音の音量と外部音響信号に基づいて発生される楽音の音量とを等しくするために、内部音響信号の入力時に設定されるべきミキサ１７ａの利得と外部音響信号の入力時に設定されるべきミキサ１７ａの利得との対応関係を示す対応テーブルがチャンネルごとに記憶装置１３に記憶される。この場合、音源制御部８は、外部音響信号の不調が発生したときに、不調の発生前にミキサ１７ａに設定されていた利得を記憶装置１３に記憶された対応テーブルに基づいて補正する。
【００４０】
また、音源制御部８は、外部音響信号の音色に予め対応付けられた音色（例えば所定の類似度を有する音色）で内部音響信号を生成するように内部音源１６の内部音響信号の音色を設定する。さらに、音源制御部８は、外部音源２０に与えられるべき発音指示信号を内部音源１６に与える。これにより、外部音響信号の音色に予め対応付けられた音色の内部音響信号が内部音源１６により生成される。それにより、使用者は、外部音響信号の不調時でも所望の音色の楽音をサウンドシステム１７から発生させつつ電子楽器１の演奏を続行することができる。なお、外部音響信号の音色に予め対応付けられた音色には、外部音響信号の音色と同一の音色も含まれる。
【００４１】
音源制御部８は、外部音響信号の不調が発生した場合に限らず、使用者による設定操作子４の操作に基づいて、外部音響信号を内部音源１６の内部音響信号に切り替えてもよい。
【００４２】
（３）音源制御部の機能的な構成
図２は、図１の音源制御部８の機能的な構成を示すブロック図である。図２に示すように、音源制御部８は、指示信号発生部８１、音源切替部８２、指示信号出力部８３、帰還音響信号入力部８４、帰還音響信号検出部８５および切替制御部８６を含む。また、音源制御部８は、内部音源用ミキサ音量設定部９１、外部音源用ミキサ音量設定部９２、外部音源音量取得部９３、対応テーブル取得部９４、ミキサ音量補正部９５、領域設定部９７および音色設定部９９をさらに含む。図１のＣＰＵ１１がＲＯＭ１０または記憶装置１３に記憶された音源制御プログラムを実行することにより図２の音源制御部８の各部の機能が実現される。
【００４３】
指示信号発生部８１は、演奏操作子２の操作または楽曲データに基づいてチャンネルごとに発音指示信号等の各種指示信号を発生する。指示信号発生部８１により発生された発音指示信号のうち、内部音源１６に与えられるべき発音指示信号は、内部音源１６に与えられる。指示信号発生部８１により発生された発音指示信号のうち外部音源２０に与えられるべき発音指示信号は、音源切替部８２および指示信号出力部８３に与えられる。本実施の形態では、チャンネルＣＨ２の発音指示信号が内部音源１６に与えられ、チャンネルＣＨ１，ＣＨ３の発音指示信号が外部音源２０に与えられる。内部音源１６または外部音源２０への発音指示信号の供給は、例えばＭＩＤＩ規格のローカルオンコマンドおよびローカルオフコマンドにより切り替えられる。音源切替部８２は、取得した発音指示信号を内部音源１６に与える接続状態と、内部音源１６に与えない非接続状態との間でチャンネルごとに切り替え可能である。
【００４４】
指示信号出力部８３は、通信Ｉ／Ｆ１４に接続され、指示信号発生部８１により発生された発音指示信号を外部音源２０に出力する。外部音源２０は、発音指示信号に応答して外部音響信号を生成し、生成された外部音響信号を通信Ｉ／Ｆ１４に入力する。帰還音響信号入力部８４は、通信Ｉ／Ｆ１４から外部音響信号を帰還音響信号（オーディオリターン）として取得する。帰還音響信号検出部８５は、帰還音響信号入力部８４への帰還音響信号の入力の状態を検出する。
【００４５】
切替制御部８６は、帰還音響信号検出部８５により検出される帰還音響信号の入力の状態が正常である場合には、音源切替部８２を非接続状態にする。それにより、サウンドシステム１７から外部音響信号に基づく楽音が発生される。一方、切替制御部８６は、帰還音響信号検出部８５により検出される帰還音響信号の入力の状態が正常でない場合には、音源切替部８２を接続状態に切り替える。それにより、サウンドシステム１７から内部音響信号に基づく楽音が発生される。
【００４６】
使用者による設定操作子４の操作に基づいて、音源切替部８２を接続状態または非接続状態に切り替えることも可能である。そのため、使用者は、外部音響信号の不調に気付いた場合に、音源切替部８２を非接続状態から接続状態に切り替えることができる。また、使用者は、外部音響信号の不調が解消されたことに気付いた場合に、音源切替部８２を接続状態から非接続状態に切り替えることができる。
【００４７】
音色設定部９９は、音源切替部８２が接続状態にあるときに（サウンドシステム１７から外部音響信号に基づく楽音が発生されているときに）外部音響信号の音色に予め対応付けられた音色の内部音響信号を生成するように内部音源１６の音色を設定する。
【００４８】
指示信号発生部８１は、設定操作子４の操作に基づいて音量設定指示信号を発生してもよく、楽音データに基づいて音量設定指示信号を発生してもよい。音量設定指示信号は、例えば、ＭＩＤＩ規格のコントロールチェンジメッセージである。
【００４９】
内部音源用ミキサ音量設定部９１は、内部音源１６に割り当てられたチャンネルについて設定操作子４の操作により音量設定指示信号が与えられた場合、音量設定指示信号により示される音量に相当する利得をミキサ１７ａの該当するチャンネルに設定する。また、外部音源用ミキサ音量設定部９２は、外部音源２０に割り当てられたチャンネルについて設定操作子４の操作により音量設定指示信号が与えられた場合、音量設定指示信号により示される音量に相当する利得をミキサ１７ａの該当するチャンネルに設定する。
【００５０】
外部音源音量取得部９３は、外部音源用ミキサ音量設定部９２によるミキサ１７ａへの利得の設定時に、ミキサ１７ａに設定される利得（音量）をチャンネル番号とともに取得し、取得した利得をチャンネル番号とともに記憶装置１３に記憶させる。
【００５１】
対応テーブル取得部９４は、所定のタイミングで記憶装置１３に記憶された対応テーブルを取得する。所定のタイミングは、例えば音源切替部８２の非接続状態から接続状態への切り替わりのタイミングに設定される。ミキサ音量補正部９５は、音源切替部８２の非接続状態から接続状態への切り替わりに応答して、内部音響信号に基づいて発生される楽音の音量が外部音響信号に基づいて発生される楽音の音量と等しくなるようにミキサ１７ａに設定される利得を対応テーブルを用いて補正する。これにより、使用者の違和感を抑制しつつ発音を継続することができる。
【００５２】
また、ミキサ音量補正部９５は、音源切替部８２の接続状態から非接続状態への切り替わりに応答して、外部音響信号に基づいて発生される楽音の音量が内部音響信号に基づいて発生される楽音の音量と等しくなるように、上記の例とは逆の手順でミキサ１７ａに設定される利得を補正する。
【００５３】
領域設定部９７は、発音指示信号に含まれるパラメータの値に基づいて定められる後述する複数の領域（ゾーン）を設定する。この場合、内部音源用ミキサ音量設定部９１および外部音源用ミキサ音量設定部９２は、領域ごとにミキサ１７ａへの利得の設定を行うことができる。また、ミキサ音量補正部９５領域ごとに利得の補正を行うことができる。
【００５４】
（４）ミキサに設定される利得の補正例
図３は、図１の記憶装置１３に記憶される対応テーブルの一例を示す図である。図３の対応テーブルには、内部音響信号に基づいて発生される楽音の音量と外部音響信号に基づいて発生される楽音の音量とを等しくするために、内部音響信号の入力時にミキサ１７ａに設定されるべき利得と外部音響信号の入力時にミキサ１７ａに設定されるべき利得との比が補正係数として設定されている。図３の例では、外部音源２０ａに割り当てられるチャンネルＣＨ１について、補正係数として１．２０が設定され、外部音源２０ｂに割り当てられるチャンネルＣＨ３について、補正係数として１．１５が設定されている。なお、内部音源１６に割り当てられるチャンネルＣＨ２については、音源切替部８２の切り替わりの前後でミキサ１７ａに入力される音響信号が変化しないので、上記の比率は設定されていない。
【００５５】
図４は、図３の対応テーブルに基づく利得の補正例を示す模式図である。図４（ａ）には、図２の音源切替部８２が非接続状態にあるときにミキサ１７ａに設定される利得の例が示される。図４（ｂ）には、図２の音源切替部８２が接続状態にあるときにミキサ１７ａに設定される利得の例が示される。
【００５６】
図４（ａ）に示すように、音源切替部８２が非接続状態にある場合、ミキサ１７ａのチャンネルｃｈ１，ｃｈ２，ｃｈ３に、それぞれ利得１００が設定されている。この状態で、外部音源２０ａ，２０ｂにより生成される外部音響信号に不調が生じた場合、音源切替部８２が非接続状態から接続状態に切り替わる。この場合、図４（ｂ）に太い実線で示すように、内部音源１６により生成されるチャンネルＣＨ１，ＣＨ３の内部音響信号がミキサ１７ａのチャンネルｃｈ１，ｃｈ３に入力される。
【００５７】
このとき、図２のミキサ音量補正部９５は、図３の対応テーブルに基づいて、音源切替部８２が非接続状態にあるときにミキサ１７ａのチャンネルｃｈ１，ｃｈ３にそれぞれ設定されている利得１００を補正する。この場合、ミキサ音量補正部９５は、ミキサ１７ａのチャンネルｃｈ１，ｃｈ３の利得に対応テーブルの補正係数１．２０および１．１５をそれぞれ乗算することにより利得１２０および１１５を算出し、算出された利得１２０および１１５をミキサ１７ａのチャンネルｃｈ１，ｃｈ３にそれぞれ設定する。これにより、音源切替部８２の非接続状態から接続状態への切り替わり時に、使用者の違和感を抑制しつつ発音を継続することができる。
【００５８】
（５）音源制御処理
図５および図６は、音源制御部８により行われる音源制御処理を示すフローチャートである。図５および図６の音源制御処理は、図１のＣＰＵ１１がＲＯＭ１０または記憶装置１３に記憶された音源制御プログラムを実行することにより行われる。以下の音源制御処理は、外部音源２０に割り当てられた各チャンネルについて行われる。初期状態においては、図２の音源切替部８２は非接続状態にある。
【００５９】
まず、指示信号発生部８１は、演奏操作子２の操作が検出されたか否かを判定する（ステップＳ２１）。演奏操作子２の操作が検出されていない場合には、指示信号発生部８１は、演奏操作子２の操作が検出されるまで待機する。演奏操作子２の操作が検出された場合には、指示信号発生部８１は、発音指示信号を生成し、指示信号出力部８３および通信Ｉ／Ｆ１４を介して発音指示信号を外部音源２０へ供給する（ステップＳ２２）。外部音源２０は、発音指示信号が供給されると、設定された音色の外部音響信号を生成する。生成された外部音響信号は、通信Ｉ／Ｆ１４を通してミキサ１７ａへ供給される。
【００６０】
次に、音色設定部９９は、設定操作子４の操作に基づいて音色設定指示信号が発生されたか否かを判定する（ステップＳ２３）。音色設定指示信号には、外部音源２０に設定されるべき音色を示す情報が含まれる。音色設定指示信号が発生されない場合には、音色設定部９９はステップＳ２５に進む。音色設定指示信号が発生された場合には、音色設定部９９は、外部音源２０に設定されるべき音色に対応付けられた音色を内部音源１６に設定する（ステップＳ２４）。
【００６１】
次に、外部音源用ミキサ音量設定部９２は、設定操作子４の操作に基づいて音量設定指示信号が発生されたか否かを判定する（ステップＳ２５）。なお、音量設定指示信号は、電子楽器の音量に関する設定メニューにおける設定操作子４の操作に基づいて発生されてもよい。あるいは、音量設定指示信号は、ＭＩＤＩ規格のメッセージを監視することにより、メインボリューム（Main Volume）、パン（Pan）、バランス（Balance）または機種依存のシステムエクスクルーシブ（SysEx）のメッセージの一部等の音量設定関連メッセージが検出された時に発生されてもよい。
【００６２】
音量設定指示信号が発生されない場合には、外部音源用ミキサ音量設定部９２はステップＳ２８に進む。音量設定指示信号が発生された場合、外部音源用ミキサ音量設定部９２は、音量設定指示信号により示される音量に相当する利得をミキサ１７ａの該当チャンネルに設定する（ステップＳ２６）。また、外部音源音量取得部９３は、外部音源用ミキサ音量設定部９２により設定される利得を記憶装置１３に記憶させる（ステップＳ２７）。
【００６３】
次に、帰還音響信号検出部８５は、帰還音響信号入力部８４への帰還音響信号の入力の状態を検出し（ステップＳ２８）、帰還音響信号の入力の状態が正常であるか否かを判定する（ステップＳ２９）。帰還音響信号の入力の状態が正常である場合には、帰還音響信号検出部８５はステップＳ２１に戻る。この場合、外部音源２０からの外部音響信号に基づく楽音の発生が続行される。
【００６４】
一方、帰還音響信号の入力の状態が正常でない場合には、切替制御部８６は、音源切替部８２を接続状態に切り替える（ステップＳ３０）。これにより、外部音源２０に代えて内部音源１６からの内部音響信号に基づく楽音の発生が続行される。また、ミキサ音量補正部９５は、記憶装置１３に記憶された対応テーブルに基づいてステップＳ２６の処理でミキサ１７ａの該当チャンネルに設定された利得を補正する（ステップＳ３１）。
【００６５】
次に、指示信号発生部８１は、演奏操作子２の操作が検出されたか否かを判定する（ステップＳ３２）。演奏操作子２の操作が検出されていない場合には、指示信号発生部８１は、演奏操作子２の操作が検出されるまで待機する。演奏操作子２の操作が検出された場合には、指示信号発生部８１は、発音指示信号を生成し、音源切替部８２を介して発音指示信号を内部音源１６へ供給する（ステップＳ３３）。内部音源１６は、発音指示信号が供給されると、設定された音色の内部音響信号を生成する。生成された内部音響信号は、サウンドシステム１７へ供給される。このとき、内部音響信号に基づく楽音の音量は、外部音響信号に基づく楽音の音量と等しくなる。
【００６６】
次に、帰還音響信号検出部８５は、帰還音響信号入力部８４への帰還音響信号の入力の状態を検出し（ステップＳ３４）、帰還音響信号の入力の状態が正常であるか否かを判定する（ステップＳ３５）。帰還音響信号の入力の状態が正常でない場合には、帰還音響信号検出部８５はステップＳ３２に戻る。この場合、内部音源１６からの内部音響信号に基づく楽音の発生が続行される。
【００６７】
一方、帰還音響信号の入力の状態が正常である場合には、切替制御部８６は、音源切替部８２を非接続状態に切り替える（ステップＳ３６）。このとき、ミキサ音量補正部９５は、記憶装置１３に記憶された対応テーブルに基づいてステップＳ３１の処理でミキサ１７ａの該当チャンネルに設定された利得を補正し（ステップＳ３７）、ステップＳ２１に進む。この場合は、ミキサ１７ａの該当チャンネルに設定された利得を対応テーブルの補正係数で除算することにより新たな利得を算出し、算出された利得をミキサ１７ａの該当チャンネルに設定する。これにより、再度外部音源２０からの外部音響信号に基づく楽音の発生が続行される。
【００６８】
本実施の形態では、チャンネルごとおよび音色ごとにミキサ１７ａに設定される利得が補正される。したがって、チャンネルごとおよび音色ごとに設定される利得を適切に補正することができる。
【００６９】
（６）パラメータの領域（ゾーン）設定
使用者は、演奏操作子２を操作することにより、音源制御部８に発音指示信号を発生させることができる。発音指示信号は、音高およびベロシティ等のパラメータを含む。また、使用者は、発音指示信号に含まれるパラメータの値の範囲に対して複数の領域を設定することができる。ここで、設定される複数の領域は、互いに重なっていてもよい。設定された複数の領域の各々にチャンネルを割り当てることができる。これにより、内部音源１６および各外部音源２０に個別に発音指示信号を与えることができる。領域設定は、例えばＭＩＤＩ規格のローカルオンコマンドによるローカルオンの状態で用いられる。
【００７０】
図７は、パラメータの領域設定の一例を説明するための図である。図７に示すように、演奏操作子２は、鍵盤２００を含む。鍵盤２００は、左右方向に並ぶように配列された複数の鍵２ａを含む。複数の鍵２ａは、複数の音高にそれぞれ対応する。使用者は、所望の鍵２ａを押すことにより、対応する音高を含む発音指示信号を発生させることができる。
【００７１】
図７の例においては、発音指示信号の音高に対して３つの領域Ｚ１，Ｚ２，Ｚ３が設定される。具体的には、鍵盤２００に４つの位置Ｐ１，Ｐ２，Ｐ３，Ｐ４が左から右にこの順で並ぶように設定される。領域Ｚ１は、位置Ｐ１，Ｐ３間に配置される鍵２ａに対応する音高の領域である。領域Ｚ２は、位置Ｐ２，Ｐ３間に配置される鍵２ａに対応する音高の領域である。領域Ｚ３は、位置Ｐ３，Ｐ４間に配置される鍵２ａに対応する音高の領域である。
【００７２】
例えば、領域Ｚ１，Ｚ２，Ｚ３がそれぞれチャンネルＣＨ１，ＣＨ２，ＣＨ３に割り当てられる。この場合、位置Ｐ１，Ｐ２間のいずれかの鍵２ａが押されると、対応する音高の発音指示信号がチャンネルＣＨ１の外部音源２０ａに与えられる。位置Ｐ２，Ｐ３間のいずれかの鍵２ａが押されると、対応する音高の発音指示信号がチャンネルＣＨ２の内部音源１６およびチャンネルＣＨ１の外部音源２０ａに与えられる。位置Ｐ３，Ｐ４間のいずれかの鍵２ａが押されると、対応する音高の発音指示信号がチャンネルＣＨ３の外部音源２０ｂに与えられる。
【００７３】
本例では、領域Ｚ１，Ｚ３に割り当てられたチャンネルＣＨ１，ＣＨ３の各々について、図２の音源制御部８による図５および図６の音源制御処理が行われる。
【００７４】
図８はパラメータの領域設定の他の例を説明するための図である。図８の例においては、発音指示信号の音高とベロシティとの組み合わせに対して３つの領域Ｚ１，Ｚ２，Ｚ３が設定される。具体的には、図８の４つの位置Ｐ１，Ｐ２，Ｐ３，Ｐ４に加えて、３つのベロシティの値Ｖ１，Ｖ２，Ｖ３がさらに設定される。値Ｖ２は値Ｖ１よりも大きく、値Ｖ３は値Ｖ２よりも大きい。
【００７５】
領域Ｚ１は、位置Ｐ１，Ｐ２間に配置される鍵２ａに対応する音高でかつ値Ｖ１，Ｖ３間のベロシティの領域と、位置Ｐ２，Ｐ３間に配置される鍵２ａに対応する音高でかつ値Ｖ２，Ｖ３間のベロシティの領域とを含む。領域Ｚ２は、位置Ｐ２，Ｐ３間に配置される鍵２ａに対応する音高でかつ値Ｖ２，Ｖ３間のベロシティの領域である。領域Ｚ３は、位置Ｐ３，Ｐ４間に配置される鍵２ａに対応する音高でかつ値Ｖ１，Ｖ３間のベロシティの領域である。
【００７６】
図７の例と同様に、領域Ｚ１，Ｚ２，Ｚ３がそれぞれチャンネルＣＨ１〜ＣＨ３に割り当てられる。この場合、位置Ｐ１，Ｐ２間のいずれかの鍵２ａが値Ｖ１，Ｖ３間のベロシティで押された場合、対応する音高でかつそのベロシティの値を有する発音指示信号がチャンネルＣＨ１の外部音源２０ａに与えられる。位置Ｐ２，Ｐ３間のいずれかの鍵２ａが値Ｖ１，Ｖ２間のベロシティで押された場合、対応する音高でかつそのベロシティの値を有する発音指示信号がチャンネルＣＨ１の外部音源２０ａに与えられる。位置Ｐ２，Ｐ３間のいずれかの鍵２ａが値Ｖ２，Ｖ３間のベロシティで押された場合、対応する音高でかつそのベロシティの値を有する発音指示信号がチャンネルＣＨ２の内部音源１６に与えられる。位置Ｐ３，Ｐ４間のいずれかの鍵２ａが値Ｖ１，Ｖ３間のベロシティで押された場合、対応する音高でかつそのベロシティの値を有する発音指示信号がチャンネルＣＨ３の外部音源２０ｂに与えられる。
【００７７】
本例においても、領域Ｚ１，Ｚ３に割り当てられたチャンネルＣＨ１，ＣＨ３の各々について、図２の音源制御部８による図５および図６の音源制御処理が行われる。
【００７８】
（７）効果
本実施の形態に係る電子楽器１においては、音源切替部８２の非接続状態時に、発音指示信号に応答して外部音源２０により外部音響信号が生成される。この状態で、外部音源２０から供給される外部音響信号に不調が生じた場合には、音源切替部８２が非接続状態から接続状態に切り替えられる。それにより、発音指示信号に応答して内部音源１６により内部音響信号が生成される。このとき、内部音響信号に基づいて発生される楽音の音量と外部音響信号に基づいて発生される楽音の音量とが等しくなるように、ミキサ１７ａに設定されていた利得が補正される。したがって、外部音響信号に不調が生じた場合でも使用者の違和感を抑制しつつ発音を継続することができる。
【００７９】
［２］第２の実施の形態
第２の実施の形態に係る電子楽器システムについて、第１の実施の形態に係る電子楽器システム１００と異なる点を説明する。
【００８０】
（１）電子楽器システムの構成
図９は、第２の実施の形態に係る電子楽器システムの構成を示すブロック図である。本実施の形態に係る音源制御部８の構成は図２に示される構成と同様である。図９の電子楽器システム１００は、図１の電子楽器システム１００の構成に加えて、追加のサウンドシステム２１をさらに備える。サウンドシステム２１は、基本的にサウンドシステム１７と同じ構成を有し、１以上の外部音源２０とともに電子楽器１の外部に設けられる。
【００８１】
本実施の形態では、電子楽器１に内蔵されるサウンドシステム１７が内部音源１６により生成される内部音響信号に基づく楽音を発生し、電子楽器１の外部に設けられるサウンドシステム２１が１以上の外部音源２０によりそれぞれ生成される外部音響信号に基づく楽音を発生する。
【００８２】
サウンドシステム２１のミキサ２１ａは、サウンドシステム１７のミキサ１７ａと同様に、チャンネルｃｈ１，ｃｈ２，ｃｈ３を有する。本実施の形態では、ミキサ１７ａのチャンネルｃｈ２に、チャンネルＣＨ２が割り当てられた内部音源１６の内部音響信号が入力される。ミキサ２１ａのチャンネルｃｈ１に、チャンネルＣＨ１が割り当てられた外部音源２０ａの外部音響信号が入力され、ミキサ２１ａのチャンネルｃｈ３に、チャンネルＣＨ３が割り当てられた外部音源２０ｂの外部音響信号が入力される。これにより、内部音源１６の内部音響信号に基づく楽音がサウンドシステム１７のスピーカ１７ｂにより発生され、外部音源２０ａ，２０ｂの外部音響信号に基づく楽音がスピーカ２１ｂにより発生される。ミキサ１７ａの未使用のチャンネルｃｈ１，ｃｈ３の利得およびミキサ２１ａの未使用のチャンネルｃｈ２の利得は０である。
【００８３】
本実施の形態に係る音源制御部８は、外部音源２０ａ，２０ｂに割り当てられたチャンネルＣＨ１，ＣＨ３について、外部音響信号の不調時に、外部音響信号を内部音源１６の内部音響信号に切り替える。この場合、内部音源１６において外部音響信号の代わりに生成される内部音響信号は、サウンドシステム１７のミキサ１７ａのチャンネルｃｈ１，ｃｈ３に入力される。このとき、ミキサ１７ａのチャンネルｃｈ１，ｃｈ３の利得が０に設定されていると、外部音響信号に基づく楽音の音量が０となる。そこで、音源制御部８は、ミキサ１７ａのチャンネルｃｈ１，ｃｈ３の利得をミキサ２１ａのチャンネルｃｈ１，ｃｈ３の利得と等しくなるように補正する。それにより、内部音響信号に基づいて発生される楽音の音量が外部音響信号に基づいて発生される楽音の音量に近づく。これにより、使用者の違和感を抑制しつつ発音を継続することができる。
【００８４】
（２）ミキサに設定される利得の補正例
図１０は、図９の音源制御部８において音源切替部８２（図２）が非接続状態から接続状態に切り替わる際のミキサ１７ａの利得の補正例を示す模式図である。図１０（ａ）に図２の音源切替部８２が非接続状態にあるときにミキサ１７ａ，２１ａに設定される利得の例が示される。図１０（ｂ）に図２の音源切替部８２が接続状態にあるときにミキサ１７ａ，２１ａに設定される利得の例が示される。
【００８５】
図１０（ａ）に示すように、音源切替部８２が非接続状態にある場合、チャンネルＣＨ１，ＣＨ２，ＣＨ３にそれぞれ対応するミキサ２１ａのチャンネルｃｈ１、ミキサ１７ａのチャンネルｃｈ２およびミキサ２１ａのチャンネルｃｈ３に、それぞれ利得７５、１００および８５が設定されている。また、音響信号が入力されないミキサ１７ａのチャンネルｃｈ１，ｃｈ３およびミキサ２１ａのチャンネルｃｈ２には、それぞれ利得０が設定されている。
【００８６】
この状態で、外部音源２０ａ，２０ｂから発生される外部音響信号に不調が生じた場合、音源切替部８２が非接続状態から接続状態に切り替わる。この場合、図１０（ｂ）に太い実線で示すように、内部音源１６により生成されるチャンネルＣＨ１，ＣＨ３の内部音響信号がミキサ１７ａのチャンネルｃｈ１，ｃｈ３に入力される。
【００８７】
このとき、図２のミキサ音量補正部９５は、ミキサ２１ａのチャンネルｃｈ１，ｃｈ３にそれぞれ設定されている利得７５および８５をミキサ１７ａのチャンネルｃｈ１，ｃｈ３の利得として設定する。このようにして、ミキサ１７ａのチャンネルｃｈ１，ｃｈ３の利得が、ミキサ２１ａのチャンネルｃｈ１，ｃｈ３の利得に基づいて補正される。それにより、音源切替部８２の非接続状態から接続状態への切り替わり時に、使用者の違和感を抑制しつつ発音を継続することができる。
【００８８】
（３）効果
本実施の形態に係る電子楽器１においても、第１の実施の形態に係る電子楽器１と同様に、外部音源２０から供給される外部音響信号に不調が生じた場合には、音源切替部８２が非接続状態から接続状態に切り替えられる。それにより、発音指示信号に応答して内部音源１６により内部音響信号が生成される。このとき、内部音響信号に基づいて発生される楽音の音量が外部音響信号に基づいて発生される楽音の音量に近づくように、ミキサ１７ａの利得がミキサ２１ａの利得に基づいて補正される。したがって、外部音響信号に不調が生じた場合でも使用者の違和感を抑制しつつ発音を継続することができる。
【００８９】
［３］他の実施の形態
（ａ）上記実施の形態においては、内部音響信号の音量がミキサ１７ａにより調整されるが、音響信号の音量が内部音源１６等の他の構成要素により調整されてもよい。この場合にも、外部音響信号が内部音響信号に切り替えられたときに、内部音響信号に基づいて発生される楽音の音量が外部音響信号に基づいて発生される楽音の音量に近づくか、または等しくなるように、内部音響信号の音量が調整される。
【００９０】
（ｂ）上記実施の形態では、音量に関するパラメータは音量であるが、音量に関するパラメータが定位であってもよい。この場合、外部音響信号が内部音響信号に切り替えられたときに、内部音響信号に基づいて発生される楽音の定位が外部音響信号に基づいて発生される楽音の定位に近づくか、または等しくなるように内部音響信号の音量が調整される。
【００９１】
（ｃ）ミキサ１７ａ，２１ａの利得の調整のためには、ＭＩＤＩ規格のメッセージを用いてもよく、他の制御信号を用いてもよい。また、電子楽器１と外部音源２０とはＵＳＢ（Universal Serial Bus）またはＢｌｕｅｔｏｏｔｈ（登録商標）により接続されてもよく、ＯＳＣ（OpenSound Control）等の他の規格に基づく通信を行ってもよい。
【００９２】
（ｄ）内部音源１６または外部音源２０への発音指示信号の供給の切り替え、および音源切替部８２の非接続状態と接続状態との切り替えは、ＭＩＤＩ規格のローカルオンコマンドおよびローカルオフコマンドにより行われてもよく、ローカルオンコマンドおよびローカルオフコマンドとは独立なモードの切り替えにより行われてもよい。
【００９３】
（ｅ）上記実施の形態では、図２および図１０の音源制御部８がＣＰＵ１１等のハードウエアおよび音源制御プログラム等のソフトウエアにより実現されるが、音源制御部８の各構成要素が電子回路等のハードウエアにより実現されてもよい。
【００９４】
（ｆ）上記実施の形態では、サウンドシステム１７，２１の各々は音発生手段としてスピーカ１７ｂ，２１ｂを含むが、サウンドシステム１７，２１の各々はスピーカ１７ｂ，２１ｂに代えてヘッドフォンまたはイヤホン等を音発生手段として含んでもよい。
【００９５】
［４］請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００９６】
上記実施の形態では、指示信号発生部８１が発生手段の例であり、指示信号出力部８３が出力手段の例であり、音源切替部８２が切り替え手段の例であり、内部音源用ミキサ音量設定部９１が第１の設定手段の例であり、外部音源用ミキサ音量設定部９２が第２の設定手段の例であり、外部音源音量取得部９３が第１の取得手段の例であり、ミキサ音量補正部９５が補正手段の例であり、対応テーブルの補正係数が対応関係の例であり、対応テーブル取得部９４が第２の取得手段の例である。
【００９７】
また、電子楽器１の複数のチャンネルＣＨ１，ＣＨ２，ＣＨ３が複数のチャンネルの例であり、ミキサ１７ａがミキサおよび第１のミキサの例であり、ミキサ２１ａが第２のミキサの例であり、領域設定部９７が第３の設定手段の例であり、帰還音響信号入力部８４が入力手段の例であり、帰還音響信号検出部８５が検出手段の例であり、外部音源２０，２０ａ，２０ｂが１または複数の外部音源の例であり、スピーカ１７ｂ，２１ｂが音発生手段の例である。請求項の各構成要素として、請求項に記載されている構成または機能を有する他の種々の要素を用いることができる。
【符号の説明】
【００９８】
１…電子楽器，２…演奏操作子，２ａ…鍵，３，５…検出回路，４…設定操作子，６…ディスプレイ，７…表示回路，８…音源制御部，９…ＲＡＭ，１０…ＲＯＭ，１１…ＣＰＵ，１２…タイマ，１３…記憶装置，１４…通信Ｉ／Ｆ，１５…外部記憶装置，１６…内部音源，１７，２１…サウンドシステム，１７ａ，２１ａ…ミキサ，１７ｂ，２１ｂ…スピーカ，１９…バス，２０，２０ａ，２０ｂ…外部音源，８１…指示信号発生部，８２…音源切替部，８３…指示信号出力部，８４…帰還音響信号入力部，８５…帰還音響信号検出部，８６…切替制御部，９１…内部音源用ミキサ音量設定部，９２…外部音源用ミキサ音量設定部，９３…外部音源音量取得部，９４…対応テーブル取得部，９５…ミキサ音量補正部，９７…領域設定部，９９…音色設定部，１００…電子楽器システム，２００…鍵盤，ＣＨ１，ＣＨ２，ＣＨ３，ｃｈ１，ｃｈ２，ｃｈ３…チャンネル，Ｐ１，Ｐ２，Ｐ３，Ｐ４…位置，Ｖ１，Ｖ２，Ｖ３…値，Ｚ１，Ｚ２，Ｚ３…領域
【図１】
2018109689.tif 000003
【図２】
2018109689.tif 000004
【図３】
2018109689.tif 000005
【図４】
2018109689.tif 000006
【図５】
2018109689.tif 000007
【図６】
2018109689.tif 000008
【図７】
2018109689.tif 000009
【図８】
2018109689.tif 000010
【図９】
2018109689.tif 000011
【図１０】
2018109689.tif 000012